(57)【要約】      （修正有）【課題】用紙ロールがプリンタ内に装着された当初の記録結果における色ズレを簡単かつ経済的に防止することができるプリンタを提供すること。【解決手段】サーマルヘッド９およびインクリボン８を備えた複数の記録ユニット７と、前記複数の記録ユニット７を外周面に配設した回転駆動可能なプラテンローラ２と、搬送経路の最上流に配置された用紙ロール４から繰り出されて前記プラテンローラ２の回転により搬送可能とされた長尺の記録媒体３とを備え、前記各記録ユニット７においてそれぞれ、画像の記録枚数に基づいて各サーマルヘッド９に対する通電時間と非通電時間からなる通電周期を暫定的に決定するとともに、直前の記録ラインの通電周期における非通電時間の割合に応じて前記通電周期における通電時間が長くなるように補正して各発熱素子に通電することで、各記録ラインの記録を行なう。【選択図】 図１
2007216410.tif 000002
【特許請求の範囲】
【請求項１】
発熱素子をライン状に配列させたサーマルヘッドおよび前記サーマルヘッドに引き回しされるインクリボンを備えた複数の記録ユニットと、前記複数の記録ユニットを所定の間隔を隔てて外周面側に接離可能に配設した回転駆動可能なプラテンローラと、搬送経路の最上流に配置された用紙ロールから繰り出されて前記プラテンローラの回転により搬送可能とされた長尺の記録媒体とを備え、前記記録媒体に対し、記録媒体の搬送経路における上流側に配置された記録ユニットから順に、各記録ユニットに備えられたサーマルヘッドを記録媒体とインクリボンとを介して前記プラテンローラに圧接した状態で前記プラテンローラを回転させ、記録データに基づいてインクリボンのインク層を記録ライン毎に転写して画像を重ねることにより所定長の記録結果を得るプリンタであって、
前記各記録ユニットにおいてそれぞれ、画像の記録枚数に基づいて各サーマルヘッドに対する通電時間と非通電時間からなる通電周期を暫定的に決定するとともに、直前の記録ラインの通電周期における非通電時間が長くなるほど前記通電周期における通電時間も長くなるように補正して各発熱素子に通電し、各記録ラインの記録を行なうことを特徴とするプリンタ。
【請求項２】
前記各記録ユニットに配設されたインクリボンはインク層の色がそれぞれ異なることを特徴とする請求項１に記載のプリンタ。
【発明の詳細な説明】
【技術分野】
【０００１】
本発明は、種々のカラーインク毎の記録ユニットが同一方向に搬送される記録媒体の搬送方向に沿って複数個設けられ、各記録ユニットにおいてカラーインクのインク層を重ねて記録することにより、所望の画像を記録可能とされたプリンタに関する。
【背景技術】
【０００２】
従来より、それぞれ異なる色彩のインクが塗布された複数のインクリボンを用いて記録を行うプリンタにおいて、各インクリボンにそれぞれ対応して設けられた複数の記録ヘッドにより、前記各インクリボンのインクを記録媒体に重ねて転写することによって記録媒体上に所望の画像の記録を行うプリンタが、異なる色のインク層を重ねて記録する度ごとに記録媒体をバックフィードさせるスイングバック式のプリンタに比べて実効記録速度であるスループットを速くすることができる点などに着目され、使用されている。
【０００３】
このプリンタは、ステッピングモータにより回転駆動可能なプラテンローラを有し、このプラテンローラの外周部には、複数の色彩（本従来例においては、イエロー（Ｙ）、マゼンタ（Ｍ）、シアン（Ｃ）、ブラック（Ｋ）の４色。以下、同じ。）のインクの各色毎の記録ユニットを記録媒体の搬送経路に沿って所定間隔をもって配置させている。
【０００４】
前記各記録ユニットは、対応するいずれか１色のインクリボン、記録ヘッド、およびプラテンを備えており、前記記録媒体の搬送方向における上流側から、第１記録ユニット、第２記録ユニット、第３記録ユニット、第４記録ユニットとされている。
【０００５】
詳しくは、各記録ユニットにおいて、前記記録ヘッドは、前記インクリボンを介して搬送経路を搬送される記録媒体に対向するように配置されており、前記記録ヘッドと前記プラテンは、前記インクリボンおよび記録媒体を介して相対的に圧接可能とされている。
【０００６】
また、前記記録媒体は長尺状とされ、前記プラテンローラの回転で搬送経路における上流側から下流側へ搬送可能とされている。
【０００７】
そして、このような構成を備えたプリンタにおいては、記録媒体に所望の画像を記録するには、最初に第１記録ユニットのサーマルヘッドに通電を開始し、例えば、イエロー（Ｙ）のインクリボンのインク層を熱転写して記録媒体に第１画像を記録する。その後、この第１の画像を記録した領域を、搬送経路における下流側に配設された第２記録ユニットまで搬送し、第１画像の上に第２記録ユニットのサーマルヘッドで、例えば、マゼンタ（Ｍ）のインクリボンのインク層を用いた第２画像を重ねて記録する。
【０００８】
次に、同様に第１画像および第２画像を記録した領域を搬送経路における下流側に配設された第３記録ユニットまで搬送し、第１画像および第２画像の上に第３記録ユニットのサーマルヘッドで、例えば、シアン（Ｃ）のインクリボンのインク層を用いた第３画像を重ねて記録する。
【０００９】
そして、第１画像乃至第３画像を記録した領域を搬送経路における最下流に配設された第４記録ユニットまで搬送し、第１画像乃至第３画像の上に第４記録ユニットのサーマルヘッドで、例えば、ブラック（Ｋ）のインクリボンのインク層を用いた第４画像を重ねて記録し、記録媒体に所望のカラー画像を形成する（例えば、特許文献１参照）。
【００１０】
【特許文献１】特開２００３−２９１３８８号公報
【発明の開示】
【発明が解決しようとする課題】
【００１１】
ここで、前記記録媒体について着目してみると、前記記録媒体は搬送経路における最上流に配置された用紙ロールから前記搬送経路内に繰り出され、給紙ローラに案内されて前記プラテンローラの外周に巻き付くように案内され、前記プラテンローラの回転により、前記第１記録ユニットから第４記録ユニットまでの各サーマルヘッドに対向する位置において、各記録ユニットに配設されたインクリボンのインク層の転写に供された後、排紙ローラに案内されつつ、プリンタ外へ排出されるとともに、図示しない切断機構によって所定長に切断される。
【００１２】
このような記録媒体は、新しい給紙ローラがプリンタ内に配設された後、最初の記録を行なうべく前記プラテンローラの外周に沿って搬送される際、前記記録媒体の先端部の記録開始位置が搬送経路の上流側に位置する第１記録ユニットのサーマルヘッドに対向する位置に搬送されたときは、プラテンローラに対する巻付き量は少ない。そのため、前記記録媒体に第１記録ユニットにおける第１画像を記録するときには、プラテンローラと記録媒体との摩擦が小さくなり、その搬送にスリップが生じていた。よって、前記第１画像は所望の記録長よりも短い記録長の記録となっていた。
【００１３】
続く、第２記録ユニットにおける第２画像の記録時においても、記録媒体は通常時の半分程度の巻き付き量でプラテンローラに巻回されている状態であるため、プラテンローラと記録媒体との摩擦が充分に確保できておらず、記録媒体の搬送にスリップが生じてしまい、前記第２画像も所望の記録長よりも短い記録長の記録となっていた（但し、第１画像よりは長い記録長となる）。
【００１４】
さらに、第３記録ユニットにおける第３画像の記録時においても同様に、プラテンローラと記録媒体との摩擦が充分に確保できないため、記録媒体の搬送にスリップが生じ、前記第３画像も所望の記録長よりも短い記録長の記録となっていた（但し、第２画像よりは長い記録長となる）。
【００１５】
そして、前記記録媒体は、第４記録ユニットにおける第４画像の記録時において、記録媒体は略通常の巻き付き量でプラテンローラに巻回されている状態となるため、プラテンローラと記録媒体との摩擦も確保でき、記録媒体はしっかりとグリップされるので搬送にスリップが生じ難くなり、前記第４画像は、略所望の記録長の記録となっていた。
【００１６】
このように、用紙ロールがプリンタ内に配置された当初の記録結果は、記録媒体がプラテンローラの外周に十分に巻回されるまで、記録媒体とプラテンローラとの当接面積に比例する摩擦の大きさによって記録媒体の搬送量に差が生じるため、前記当初の記録結果に第１画像から第４画像までの色ズレが発生して良好な記録結果とならなかった。
【００１７】
なお、前記プラテンローラの外周に十分に巻回された後の画像の記録に関しては、前記プラテンローラの適切なグリップ力を以てその外周に巻き付いているので、前述のような搬送のスリップは生じない。
【００１８】
また、前述のような、記録媒体とプラテンローラとの当接面積に比例する摩擦の大きさの差を原因とする記録結果の色ズレの問題は、用紙ロールがプリンタ内に配設された当初の記録時に、前記記録媒体の先端部をその搬送経路における最下流に配設された排紙ローラに至るまで空搬送させて、記録媒体をプラテンローラに充分に巻き付かせ、正常な記録媒体の搬送に必要な摩擦を確保することを対策とすることも可能であるが、その場合には記録媒体の無駄な消費が嵩み、不経済となる。
【００１９】
そこで、この色ズレの問題を解消する方法の１つとして、前記各記録ユニットにおいてそれぞれ、画像の記録枚数に基づいてサーマルヘッドの通電周期を調整し、各記録ユニットにおいて記録される画像の記録長さを整える方法が考えられる。
【００２０】
しかしながら、通電周期を変化させて記録長さを調整する場合、１記録ラインの記録に要する１つの通電周期におけるサーマルヘッドの発熱時間の割合が異なる（前述の記録媒体のスリップ対策の場合には増大する）こととなり、記録濃度にばらつきが生じる原因となっていた。
【００２１】
すなわち、通電周期を一定とした場合、図３の（１）に示すように、サーマルヘッドに対する加熱時間、冷却時間は全ての記録ラインで均等となるため、記録濃度にムラが生じにくい。しかしながら、通電周期を変化させると、図３の（２）に示すように、サーマルヘッドに対する通電時間や冷却時間が異なるため、記録ラインによってインクリボンのインク層の転写濃度にばらつきが生じてしまい、良好な記録結果を得ることができなかった。
【００２２】
具体的には、直前記録ラインの記録のための通電周期における冷却時間（非通電時間）が長いと、サーマルヘッドは冷却が進み、次期記録ラインの記録のために通電がなされても、サーマルヘッドがインク層の転写に充分なほどには加熱されず、インク層の転写濃度が薄くなり、逆に、直前記録ラインの記録のための通電周期における冷却時間（非通電時間）が短いと、サーマルヘッドは放熱がされず、次期記録ラインの記録時には、サーマルヘッドは過熱状態となり、インク層の転写が過分にされて転写濃度が濃くなることが考えられる。
【００２３】
そこで、本発明は、用紙ロールがプリンタ内に装着された当初の記録結果における色ズレを各記録ユニットのサーマルヘッドに対する通電周期を変化させることで解消し、さらに、濃度ムラの発生を前記通電周期を補正することで解消して、良好な記録結果を得ることのできるプリンタを提供することを目的とする。
【課題を解決するための手段】
【００２４】
前記目的を達成するため、本発明に係るプリンタは、発熱素子をライン状に配列させたサーマルヘッドおよび前記サーマルヘッドに引き回しされるインクリボンを備えた複数の記録ユニットと、前記複数の記録ユニットを所定の間隔を隔てて外周面側に接離可能に配設した回転駆動可能なプラテンローラと、搬送経路の最上流に配置された用紙ロールから繰り出されて前記プラテンローラの回転により搬送可能とされた長尺の記録媒体とを備え、前記記録媒体に対し、記録媒体の搬送経路における上流側に配置された記録ユニットから順に、各記録ユニットに備えられたサーマルヘッドを記録媒体とインクリボンとを介して前記プラテンローラに圧接した状態で前記プラテンローラを回転させ、記録データに基づいてインクリボンのインク層を記録記録ライン毎に転写して画像を重ねることにより所定長の記録結果を得るプリンタであって、前記各記録ユニットにおいてそれぞれ、画像の記録枚数に基づいて各サーマルヘッドに対する通電時間と非通電時間からなる通電周期を暫定的に決定するとともに、直前の記録ラインの通電周期における非通電時間の割合に応じて前記通電周期における通電時間が長くなるように補正して各発熱素子に通電することで、各記録ラインの記録を行なうことを特徴とする。
【００２５】
ここで、本発明において暫定的に決定されるサーマルヘッドの通電周期は、具体的には、各記録ユニットにおいて、用紙ロールがプリンタ内に装着された当初、前記記録媒体がプラテンローラの外周における搬送経路に十分巻き付いた状態となるまで、画像の記録枚数が増えるにつれ徐々に通電周期を短くしていき、最終的には通常の通電周期にまで変化させるように決定される。
【００２６】
このような制御を行うことにより、搬送にスリップが生じる記録媒体に対する記録時に、同一の記録ユニットにおいて形成される画像の記録長さをその記録枚数に応じて調整することが可能となる。
【００２７】
また、各記録ユニット間における同一の記録枚数においては、各記録ユニットのサーマルヘッドに対する通電周期は、記録媒体のプラテンローラの巻き付き量の変化とともに、前記記録媒体の搬送経路の上流側に配設された記録ユニットから下流側に配設された記録ユニットへ、順に、その通電周期が短くなるように設定される。
【００２８】
このような制御を行うことにより、搬送にスリップが生じる記録媒体に対する記録時に、各記録ユニットにおける同一の記録枚数の画像の記録長さを調整することが可能となる。
【００２９】
このように、各記録ユニットのサーマルヘッドの発熱素子に対する通電周期を画像の記録枚数に基づいて補正することで、各記録ユニットにおいて記録される画像の記録長さを整えて色ズレの問題を解消することができる。
【００３０】
また、通電周期内の通電時間、非通電時間を直前の記録ラインの通電周期における非通電時間の割合に応じて前記通電周期における通電時間が長くなるように調整することで、濃度ムラの発生を抑えることができる。
【００３１】
さらに、前記各記録ユニットに配設されたインクリボンはインク層の色がそれぞれ異なることを特徴とする。
【００３２】
このように前記各記録ユニットに配設されたインクリボンのインク層の色をそれぞれ異ならせることで、カラーの記録画像について、良好な記録結果を得ることができる。
【発明の効果】
【００３３】
以上述べたように、本発明に係るプリンタによれば、用紙ロールをプリンタ内に装着した当初の記録における色ズレと、濃度ムラの発生を簡単かつ経済的に防止することができ、良好な記録結果を得ることができる。
【発明を実施するための最良の形態】
【００３４】
以下に、本発明のプリンタの一実施形態を図面に基づいて説明する。
【００３５】
図１は本実施形態のプリンタの要部を説明する概略図である。
【００３６】
本発明の実施の形態のプリンタ１においては、図１に示すように、筐体（図示せず）内部には、回転駆動可能なプラテンローラ２が配設されている。このプラテンローラ２は、外周部に弾性ゴム等からなるプラテンゴム（図示せず）が被覆されて、外形が円柱状に形成されている。また、プラテンローラ２は、回転中心に回転軸２ａが形成され、この回転軸２ａが軸受（図示せず）に軸支されている。そして、回転軸２ａは駆動ギア（図示せず）を介して駆動源としてのステッピングモータ（図示せず）にギア連結され、前記ステッピングモータの回転で前記プラテンローラ２が矢印Ａ方向に回転駆動可能になっている。
【００３７】
また、プラテンゴムの外周面には、帯状で長尺な記録媒体３が摩擦当接して巻回されるように構成されている。以下では、前記記録媒体３として、帯状で長尺な台紙（図示せず）を有し、この台紙の表面に、例えば長さ方向寸法を隣位の記録ユニット７間寸法より若干短い寸法とされた矩形状の複数のラベルが所定間隔で貼付されている記録媒体３を用いた場合を説明する。つまり、本実施形態においては、前記ラベル４枚分の長さ寸法の記録媒体３が前記プラテンローラ２の外周における記録媒体３の搬送経路において、前記プラテンローラ２に当接して巻回されるように構成されているものとする。
【００３８】
前記記録媒体３は搬送経路における最上流に配置された用紙ロール４から前記搬送経路内に繰り出されており、給紙ローラ６に案内されて前記プラテンローラ２の外周に巻き付くように案内され、記録に供された後、排紙ローラ６に案内されつつ、プリンタ１外へ排出されるようになっている。
【００３９】
また、プラテンローラ２の外周側には、複数の色彩（本従来例においては、イエロー（Ｙ）、マゼンタ（Ｍ）、シアン（Ｃ）、ブラック（Ｋ）の４色。以下、同じ。）のインクの各色毎の記録ユニット７が記録媒体３の搬送経路に沿って所定間隔をもって配置されている。
【００４０】
前記各記録ユニット７は、対応するいずれか１色のインクリボン８と、前記プラテンローラ２の回転軸２ａの軸方向と平行な長手方向に複数の発熱素子が形成されラインヘッドからなる複数のサーマルヘッド９を備えており、前記記録媒体３の搬送方向における上流側から、イエロー（Ｙ）のインクリボン８Ｙを備えた第１記録ユニット７Ｙ、マゼンタ（Ｍ）のインクリボン８Ｍを備えた第２記録ユニット７Ｍ、シアン（Ｃ）のインクリボン８Ｃを備えた第３記録ユニット７Ｃ、そして、ブラック（Ｋ）のインクリボン８Ｋを備えた第４記録ユニット７Ｋとされている。
【００４１】
詳しくは、各記録ユニット７において、前記サーマルヘッド９は、前記インクリボン８を介して搬送経路を搬送される記録媒体３に対向するように配置されており、前記サーマルヘッド９は、前記インクリボン８および記録媒体３を介してプラテンローラ２に接離（ヘッドダウン／ヘッドアップ）可能とされている。そして、各サーマルヘッド９とプラテンローラ２に巻き付いた記録媒体３との間には、インクリボン８が複数のピンチローラ（図示せず）に案内されて、プラテンローラ２とサーマルヘッド７との間を引き回しされている。前記インクリボン８は、長尺状の樹脂フィルム等からなる基材（図示せず）の前記プラテンローラ２と対向する面側に所望の色のインク層が形成され、巻取りコア１１を回転駆動することにより、供給コア１２から巻取りコア１１に巻取り可能とされている。また、インクリボン８は、インク層を形成していない側の他方の面が、サーマルヘッド９の発熱素子に対して摺接可能になっている。
【００４２】
そして、各記録ユニット７におけるサーマルヘッド９を同時、または随時、ヘッドダウンさせて、インクリボン１０と記録媒体３を介してプラテンローラ２に圧接させ、プラテンローラ２を矢印Ａ方向に回転させることにより、搬送される記録媒体３に対する記録がなされるようになっている。
【００４３】
そして、本実施形態のプリンタ１は、不揮発性メモリ（図示せず）に、画像の記録枚数に基づく前記各記録ユニット７のサーマルヘッド９の通電周期（通電時間と非通電時間からなる）を保存している。この通電周期は、記録媒体３の搬送のスリップ対策としてのものであり、用紙ロール４をプリンタ１内に装着した当初の記録時に、通常の通電周期に補正を加えて記録を行うことを目的として調整されており、本実施形態においては、各記録ユニット７において、画像の記録時にこの不揮発性メモリに保存された通電周期を参照し、画像の記録を枚数に応じてサーマルヘッドの通電周期を変化させるように制御する。
【００４４】
つまり、前記プラテンローラ２の回転速度を一定とした場合、画像の記録長は、サーマルヘッドに対する通電周期を長くすれば長くなり、短くすれば短くなる。
【００４５】
そこで、図２（１）に示す、前記プラテンローラ２の駆動源としてのステッピングモータの通電パルスに対し、記録媒体３の搬送にスリップが生じていないときは、図２（２）に示すように通常の通電周期でサーマルヘッド９の通電を行なうが、前述のように、用紙ロール４をプリンタ内に装着した当初の記録時であって、未だ、プラテンローラ２の外周に記録媒体が巻き付いた状態とされていないときには、各記録ユニット７において、図２（３）に示すように、サーマルヘッド９に対する通電周期を長くし、搬送がスリップする記録媒体３に対して記録長を長くして記録を行うように制御する。
【００４６】
具体的には、前記サーマルヘッド９の通電周期は、用紙ロール４をプリンタ内に配置した後の各記録ユニット７における１枚目の画像の記録時から、前記記録媒体３がプラテンローラ２の外周における搬送経路に十分搬送された状態となるまでに記録される何枚目かの画像の記録時まで、その記録枚数に比例して徐々に通電周期を短くしていき、最終的には通常の通電周期にまで変化させるように調整する。さらに、各記録ユニット７間においては、記録媒体３のプラテンローラ２の巻き付き量の変化とともに前記記録媒体３の搬送経路の上流側に配設された記録ユニット７Ｙから下流側に配設された記録ユニット７Ｋへ、順に、その記録枚数に応じた通電周期が短くなるように調整する。このように、各記録ユニット７のサーマルヘッド９に対する通電周期を記録媒体３の搬送に生じるスリップを考慮して制御することで、前記各記録ユニット７において記録される画像の記録長を整えることができ、色ズレの問題を解消することができる。
【００４７】
またさらに、本実施形態においては、各記録ユニット７における前記サーマルヘッド９の各発熱素子に対する通電周期の通電時間を、直前の記録ラインの記録時における通電周期の非通電時間の割合に応じ、具体的には、非通電時間が長くなるほど前記通電周期における通電時間も長くなるように補正し、この補正後の通電時間により各発熱素子に通電して、次期の記録ラインの記録を行なうように制御されている。
【００４８】
すなわち、直前の記録ラインの記録時における非通電時間を測定し、その非通電時間によって、通電周期を以下の式に従って調整し、次期記録ラインの記録に要する通電時間を求める。なお、Ｗは補正後の通電時間、Ｂは不揮発性メモリに保存されていた、暫定の通電周期における通電時間、ｆは非通電時間に基づく補正関数である。直前記録ラインの記録のための通電周期における冷却時間（非通電時間）が長い場合には、ｆ＞１とし、逆に、直前記録ラインの記録のための通電周期における冷却時間（非通電時間）が短い場合には、ｆ＜１とする。
Ｗ＝Ｂ×ｆ
【００４９】
このような制御を加え、通電周期内の通電時間、非通電時間を調整することで、濃度ムラの発生を抑えることができる。
【００５０】
直前記録ラインの記録のための通電周期における冷却時間（非通電時間）が長い場合に、ｆ＞１とし、通常の通電時間よりも長い通電時間となるように調整することで、冷却の進んだサーマルヘッドに対し、次期記録ラインの記録のためにの通電として通常の通電時間よりも長めの通電がなされることにより、インク層の転写に充分な加熱が施され、インク層の適切な転写濃度を確保することができる。
【００５１】
逆に、直前記録ラインの記録のための通電周期における冷却時間（非通電時間）が短い場合に、ｆ＜１とし、通常の通電時間よりも短めの通電時間となるように調整することで、過熱状態となったサーマルヘッドに対し、次期記録ラインの記録のためにの通電として通常の通電時間よりも短めの通電がなされることにより、インク層の転写に充分な加熱温度に調整され、インク層の適切な転写濃度を確保することができる。
【００５２】
通電周期における非通電時間の長短とその程度は、通電周期内に占める非通電時間の割合を換算し、通常時におけるその割合と対比することにより判断することができる。そして、補正関数ｆについては、非通電時間に基づいて予め設定し、そのテーブルを前記不揮発性メモリに保存しておき、前記直前記録ラインの非通電時間の割合に応じて、前記テーブルを参照する。
【００５３】
このように直前記録ラインの非通電時間を勘案して、次期記録ラインの記録時における通電時間を調整することにより、図３の（３）に示すように、各通電周期内において略等しいサーマルヘッド温度を確保することが可能となるので、記録の濃度ムラの発生を防止することができる。
【００５４】
以下、より具体的に、前述のような構成を有するプリンタ１により、新しい用紙ロールを装着直後、前記記録媒体３の各ラベルに所望のカラー記録を施す場合における各サーマルヘッド９に対する通電周期と、その通電時間と非通電時間の割合の補正方法について説明する。
【００５５】
まず最初に、第１記録ユニット７Ｙのサーマルヘッド９に通電を開始し、イエロー（Ｙ）のインクリボン８Ｙのインク層を熱転写して記録媒体３の１枚目のラベルに第１画像を記録する。
【００５６】
このとき、前記記録媒体３はプラテンローラ２に対し、殆ど巻き付いていない状態であり、両者間３，２に働く摩擦力も極めて小さいため、記録媒体３の搬送には大きなスリップが生じる。よって、前記サーマルヘッド９に対しては、最も長く設定された通電周期で通電を行なう。これにより、大きくスリップしながら搬送される記録媒体３に対して論理的に長い記録長さで第１画像の記録が行われる結果、所望の記録長さの第１画像を得ることができる。
【００５７】
なお、画像を記録する際には、前述のように、前記サーマルヘッド９の各発熱素子に対する通電周期における通電時間を、直前の記録ラインの記録時におけるサーマルヘッド９の各発熱素子の通電周期における非通電時間の割合に応じて補正し、この補正後の通電時間により各発熱素子に通電して、次期の記録ラインの記録を行なうようにする（以下の各記録ユニットにおいても同様）。
【００５８】
このように、通電周期を変化させて記録長さを調整する場合であっても、１記録ラインの記録に要する１つの通電周期に占めるサーマルヘッド９の発熱時間を、直前の記録ラインにおける通電時間、非通電時間を勘案して調整することで、記録濃度のばらつきを抑えることが可能となる。
【００５９】
続いて、前記第１画像を記録した１枚目のラベルを搬送経路における下流側に配設された第２記録ユニット７Ｍまで搬送し、第１画像の上に第２記録ユニット７Ｍのサーマルヘッド９で、マゼンタ（Ｍ）のインクリボン８Ｍのインク層を用いた第２画像を重ねて記録する。
【００６０】
このとき、前記記録媒体３はプラテンローラ２に対してそれほど巻き付いていない状態であり、両者間３，２に働く摩擦力も小さいため、記録媒体３の搬送にはやや大きなスリップが生じる。よって、前記サーマルヘッド９に対しては、前記第１記録ユニット７Ｙの第１画像記録時における通電周期より短く、通常の通電周期より長く設定された通電周期で通電を行なう。これにより、やや大きくスリップしながら搬送される記録媒体３に対して論理的にやや長い記録長さで第２画像の記録が行われる結果、所望の記録長の第２画像を、第１画像に重ねて得ることができる。
【００６１】
また、このとき、前記第１記録ユニット７Ｙにおいては、記録媒体３の２枚目のラベルに対し、２枚目の第１画像を記録する。
【００６２】
このとき、前述のように、記録媒体３の搬送に生じるスリップはやや大きいものであることから、前記サーマルヘッド９に対しては、第１画像記録時における通電周期より短く、通常の通電周期より長く設定された通電周期で通電を行なう。
【００６３】
次に、同様に第１画像および第２画像を記録したラベルを搬送経路における下流側に配設された第３記録ユニット７Ｃまで搬送し、第１画像および第２画像の上に第３記録ユニット７Ｃのサーマルヘッド９で、シアン（Ｃ）のインクリボン８Ｃのインク層を用いた第３画像を重ねて記録する。
【００６４】
このとき、前記記録媒体３はプラテンローラ２に対して充分には巻き付いていない状態であり、両者３，２間に働く摩擦力もまだ小さいため、記録媒体３の搬送にはやや小さなスリップが生じる。よって、前記サーマルヘッド９に対しては、前記第２記録ユニット７Ｍの第２画像記録時における通電周期より短く、通常の通電周期より長く設定された通電周期で通電を行なう。これにより、やや小さくスリップしながら搬送される記録媒体３に対して論理的にやや長い記録長さで第３画像の記録が行われる結果、所望の記録長さの第３画像を、第１画像および第２画像に重ねて得ることができる。
【００６５】
また、このとき、前記第１記録ユニット７Ｙにおいては、記録媒体３の３枚目のラベルに対し、３枚目の第１画像を記録する。
【００６６】
このとき、前述のように、記録媒体３の搬送に生じるスリップは小さいものであることから、前記サーマルヘッド９に対しては、２枚目の第１画像記録時における通電周期よりさらに短く、通常の通電周期より長く設定された通電周期で通電を行なう。
【００６７】
また、前記第２記録ユニット７Ｍにおいても、記録媒体３の２枚目のラベルに対し、２枚目の第２画像を記録する。
【００６８】
このとき、前記記録媒体３は、前述のようにスリップが生じやすい状態であるため、前記サーマルヘッド９に対しては、１枚目の第２画像記録時における通電周期より短く、通常の通電周期より長く設定された通電周期で通電を行なう。
【００６９】
そして、最後に、第１画像乃至第３画像を記録したラベルを搬送経路における最下流に配設された第４記録ユニット７Ｋまで搬送し、第１画像乃至第３画像の上に第４記録ユニット７Ｋのサーマルヘッド９で、ブラック（Ｋ）のインクリボン８Ｋのインク層を用いた第４画像を重ねて記録し、記録媒体３のラベルに所望のカラー画像を形成する。
【００７０】
このとき、前記記録媒体３はプラテンローラ２に対して、殆ど巻き付いた状態であり、その両者３，２間に働く摩擦力も殆ど確保できる状態であるため、記録媒体３の搬送に生じるスリップは極めて小さくなる。よって、前記サーマルヘッド９に対しては、前記第３記録ユニットの第３画像記録時における通電周期より短く、通常の通電周期よりやや長く設定された通電周期で通電を行なう。これにより、小さくスリップしながら搬送される記録媒体３に対して論理的に若干長い記録長さで画像の記録が行われる結果、所望の記録長さの第４画像を、第１画像乃至第３画像に重ねて得ることができる。
【００７１】
また、前記第１記録ユニット７Ｙにおいては、記録媒体３の４枚目のラベルに対し、４枚目の第１画像を記録する。
【００７２】
このとき、前述のように、記録媒体３の搬送に生じるスリップは極めて小さいものであることから、前記サーマルヘッド９に対しては、３枚目の第１画像記録時における通電周期よりさらに短く、通常の通電周期より若干長く設定された通電周期で通電を行なう。
【００７３】
また、前記第２記録ユニット７Ｍにおいては、記録媒体３の３枚目のラベルに対し、３枚目の第２画像を記録する。
【００７４】
このとき、前述のように、記録媒体３に生じるスリップは極めて小さいものであることから、前記サーマルヘッド９に対しては、２枚目の第２画像記録時における通電周期よりさらに短く、通常の通電周期より長く設定された通電周期で通電を行なう。
【００７５】
また、前記第３記録ユニット７Ｃにおいては、記録媒体３の２枚目のラベルに対し、２枚目の第３画像を記録する。
【００７６】
このとき、前述のように、記録媒体３に生じるスリップは極めて小さいものであることから、前記サーマルヘッド９に対しては、１枚目の第２画像記録時における通電周期より短く、通常の通電周期より長く設定された通電周期で通電を行なう。
【００７７】
そして、前記第４記録ユニット７Ｋにおいて第４画像を第１画像乃至第３画像に重ね、４種のカラーのインクリボン８を重ねて所望のカラー画像を形成した後は、前記記録媒体３を排紙ローラ６によって記録媒体３の搬送経路の下流側へ案内し、プリンタ１外へ排出する。
【００７８】
この時点で、前記記録媒体３はプラテンローラ２の外周における搬送経路の全長において前記プラテンローラ２に巻き付き、前記プラテンゴム２ａの所定の摩擦力を以てグリップされるので、記録媒体３の搬送に生じるスリップを勘案して、各サーマルヘッド７に対する通電周期を調整する必要はない。よって、以降の各記録ユニット７における各画像の記録時には、各サーマルヘッド９に対して通常の通電周期による通電がなされるように制御する。
【００７９】
このように、各記録ユニット７のサーマルヘッド９に対する通電周期を制御することで、各記録ユニット７において記録される画像の記録長さを整えることができ、用紙ロール４がプリンタ１内に装着された当初の記録結果における色ズレを簡単かつ経済的に防止することができる。
【００８０】
また、通電周期を変化させて記録長さを調整する場合であっても、１記録ラインの記録に要する１つの通電周期に占めるサーマルヘッドの発熱時間の割合を等しくすることで、記録濃度のばらつきを抑えることが可能となり、良好な記録結果を得ることができる。
【００８１】
さらに、前記各記録ユニット７に配設されたインクリボン８のインク層の色を本実施形態のようにそれぞれ異ならせることで、カラーの記録画像について、良好な記録結果を得ることができる。
【００８２】
なお、本発明は前記実施形態に限定されるものではなく、必要に応じて種々変更することが可能である。
【００８３】
例えば、本実施形態においては前記インクリボン８をイエロー（Ｙ）、マゼンタ（Ｍ）、シアン（Ｃ）、ブラック（Ｋ）の色のインク層を形成したもので説明したが、インク層の色はこの色に限ることなく、また、単色、例えば黒だけでも良い。
【００８４】
また、前述の実施形態においては通電周期における通電時間の調整を、通電周期内に占める非通電時間の割合に着目し、非通電時間が長くなるほど前記通電周期における通電時間も長くなるように補正するようにしたが、これは、通電周期内に占める通電時間の割合に着目し、通電時間が長くなるほど前記通電周期における通電時間を短くように補正する制御と同意である。
【図面の簡単な説明】
【００８５】
【図１】本発明の一実施形態のプリンタの要部を説明する概略図
【図２】本実施形態のプリンタにおける記録ユニットのサーマルヘッドに対する通電周期の制御をプラテンローラの駆動ステッピングモータのパルスとの関係において説明するタイミングチャート
【図３】（１）は、一般的な、通電周期を一定とした場合のサーマルヘッドに対する通電、非通電の時間とヘッド温度との関係を示す概念図、（２）は、従来の制御における、通電周期を変化させた場合のサーマルヘッドに対する通電、非通電の時間とヘッド温度との関係を示す概念図、（３）は、本実施形態の制御における、通電周期を変化させた場合のサーマルヘッドに対する通電、非通電の時間とヘッド温度との関係を示す概念図。
【符号の説明】
【００８６】
１  プリンタ
２  プラテンローラ
２ａ  回転軸
３  記録媒体
４  用紙ロール
５  給紙ローラ
６  排紙ローラ
７  記録ユニット
７Ｙ  第１記録ユニット
７Ｍ  第２記録ユニット
７Ｃ  第３記録ユニット
７Ｋ  第４記録ユニット
８  インクリボン
８Ｙ  イエローのインクリボン
８Ｍ  マゼンタのインクリボン
８Ｃ  シアンのインクリボン
８Ｋ  ブラックのインクリボン
９  サーマルヘッド
１１  巻取りコア
１２  供給コア
【図１】
2007216410.tif 000003
【図２】
2007216410.tif 000004
【図３】
2007216410.tif 000005